(57)【要約】【課題】  ダイレクトプリントにおいて、データ出力機種と画像処理装置のカラーマッチングを行うＩＣＣプロファイルをＷｅｂ上からダウンロードすることにより、メモリ容量を削減する。【解決手段】  送信機種に機種番号とＵＲＬを出力する手段と、画像処理装置において該アドレスへアクセスする手段と送信機種と自機種に対応したＩＣＣプロファイルをダウンロードする手段を有する。【選択図】  図１
2005123668.tif 000002
【特許請求の範囲】
【請求項１】
デジタルカメラなどのイメージを生成する機器よりＰＣを介さず直接画像処理装置へイメージデータを転送し印刷を行うダイレクトプリントにおいて、
送信側の機種においてネットワークアドレスを送信する手段と、
送信機種の機種名を送信する手段と、
画像処理装置において該ネットワークアドレスにアクセスを行ない、Ｗｅｂ上の送信機種と出力機種の双方に対応したＩＣＣプロファイルをダウンロードする手段と、
該ＩＣＣプロファイルを用いて印字を行う手段を有することを特徴とする画像処理システム。
【請求項２】
請求項第１項の画像システムにおいて、
送信機種において印字データ内にパスワードを格納する手段と、
画像処理装置において該パスワードを用い、ＩＣＣプロファイルをダウンロードする手段を有する事を特徴とする画像処理システム。
【請求項３】
請求項第１項の画像処理システムにおいて、
画像処理装置内にアクセスを許可するネットワークアドレスの一覧を格納する手段と、
登録されているネットワークアドレス以外のＷｅｂにはアクセスを行なわない手段を有することを特徴とする画像処理システム。
【請求項４】
請求項第２項の画像システムにおいて、
アクセスを許可するネットワークアドレスの一覧をネットワーク上の特定のホストからダウンロードする手段を有する事を特徴とする画像処理システム。
【発明の詳細な説明】
【技術分野】
【０００１】
本発明は、デジタルカメラなどより印刷機器に直接画像データを転送し印字を行う画像処理システムに関するものである。
【背景技術】
【０００２】
デジタルカメラ等から直接イメージデータを転送して印字するダイレクトプリントと言われる印刷方法において、送られて来たデータに関してそのまま印刷を行うだけであった。
【特許文献１】特開２００１−２７５０６６号
【発明の開示】
【発明が解決しようとする課題】
【０００３】
しかし、色の再現性において機種間で微妙な差異があるため、印字結果において色の再現性が落ちる可能性があった。また、カラーマッチクグのためのＩＣＣプロファイルを使用した補正法では、該ファイルの容量が大きく、出力側の画像処理装置の特性も考慮しなければならないため、デジタルカメラ等に格納する事は難しかった。また、画像処理装置に格納した場合、画像処理装置より後に発売された機器などに対応出来ないと言った問題があった。
【課題を解決するための手段】
【０００４】
本特許においては、送信側の機種とそのＩＣＣプロファイルを格納しているネットワークアドレスを画像処理装置に転送し、画像処理装置自身の機種名を加えた上で該Ｗｅｂ上のＩＣＣプロファイルをダウンロードする手段を設ける事によって、送受信両方の機種に適合したＩＣＣプロファイルを使用することができ、かつ双方のメモリ資源を節約することができ、後発の機器にも対応することができる。また、有料のＩＣＣプロファイルをダウンロードする際に無断使用を避けるため、アクセスのためのパスワードを転送することによってＩＣＣプロファイルの保護を行なっている。また、アクセスするＷｅｂのアドレスを限定する機能により、不正なダウンロードやコンピュータウィルス等による被害を防ぐ事ができる。
【発明の効果】
【０００５】
以上説明したように、本発明によれば、送信側の機種とそのＩＣＣプロファイルを格納しているネットワークアドレスを画像処理装置に転送し、画像処理装置自身の機種名を加えた上で該Ｗｅｂ上のＩＣＣプロファイルをダウンロードする事によって、送受信両方の機種に適合したＩＣＣプロファイルを使用することができ、かつ双方のメモリ資源を節約することができる。また、アクセスのためのパスワードを転送することによって有料のＩＣＣプロファイルの保護を行う事ができる。また、アクセスするＷｅｂのアドレスを限定する機能により、不正なダウンロードやコンピュータウィルス等による被害を防ぐ事ができる。
【発明を実施するための最良の形態】
【０００６】
以下、本発明をプリンタ、コピー、ファクシミリの各々の機能を持つ、複合印刷装置（以下、ＭＦＰ−Ｍｕｌｔｉ  Ｆｕｎｃｔｉｏｎ  Ｐｒｏｄｕｃｔ−と略す）適用し、図面を用いて更に詳細に説明する。
【０００７】
本実施例の構成を説明する前に、本実施例を適用するＭＦＰの構成を図１を参照して説明する。
【０００８】
図１は実施例のＭＦＰの内部構造を示す断面図である。
【０００９】
図において１００はＭＦＰ本体であり、ネットワークをとして印字データを受取り印刷するプリンタとして使用することができる。また、電話回線にも接続されており、ファクシミリとしても機能するほか、単体でもコピー機として使用することができる。
【００１０】
１２１は操作のためのスイッチ及びＭＦＰの状態を表示する液晶タッチパネルで構成される操作パネル、１０１はＭＦＰ１００全体の制御する制御ユニットである。
【００１１】
レーザ・ドライバ１０２は半導体レーザ１０３を駆動するための回路であり、入力されたビデオ信号に応じて半導体レーザ１０３から発射されるレーザビーム１０４をオン・オフ切替する。
【００１２】
レーザビーム１０４は回転多面鏡１０５で左右方向に振られて静電ドラム１０６上を走査することにより、静電ドラム１０６上には静電潜像が形成される。この潜像は静電ドラム１０６周囲の現像ユニット（トナーカートリッジ）１０７によって現像された後、記録用紙に転写される。この記録用紙にはカット・シートを用い、カット・シート記録紙はＭＦＰに装着した給紙カセット１０８、１０９、１１０及び１１１に収納され、給紙ローラ１１３、１１４、１１５及び１１６により装置内に取り込まれ、用紙搬送ローラ１１２によって用紙搬送ベルト１１７に乗せられて像形成・現像機構を通過する。
【００１３】
記録用紙に転写されたトナー（粉末インク）は定着器１１８で熱と圧力により記録用紙に固定され、記録用紙は搬送ローラ１１９と１１０によってＭＦＰ本体外に出力される。
【００１４】
１１２はスキャナであり、原稿をセットして操作パネル１２１からコピーを指示すると原稿は原稿台に取り込まれてハロゲンランプ（不図示）で露光され、その反射像が撮像される。撮像された像はＡ／Ｄ変換されて制御ユニット１０１に送られ、必要な処理を施されてビデオ信号となり、レーザ・ドライバ１０２に入力される。
【００１５】
また、外部ネットワークを通して印刷データが送信されてくると、印字データは制御ユニット１０１内で解析されてビデオ信号となり、レーザ・ドライバ１０２に入力される。
【００１６】
また、電話回線からファクシミリのデータが送信されてくると、それはモデム１２３を経由して制御ユニット２０１に取り込まれ、ビデオ信号に変換されてレーザ・ドライバ２０２に入力される。
【００１７】
図２は図１に示したＭＦＰの制御ユニット１０５の概略構成を示すブロック図である。２０１はコントローラボードの本体を示す。
【００１８】
２３１はデジタルカメラであり撮影した画像をイメージデータの形式で印字データとして転送してくる。また、自機の機種番号及び、ＩＣＣプロファイルを格納しているＷｅｂのアドレス、及び該Ｗｅｂにアクセスする為のパスワードを送信する機能を有する。印字データは入力インターフェース部２０２を介して取り込まれる。
【００１９】
操作パネル１２１からコピーの実行が指示されるとスキャナ２２２で読み取られたイメージはスキャナインタフェース部２０６を介して取り込まれ、ＣＰＵ２０３で必要な処理を施されてドットデータに変換される。生成されたドットデータは出力インターフェース部２０４を介して印刷機構本体部２０５に送られ、実際に印刷される。ここで施される処理とは、例えばスキャナ２２２の読み取り解像度から印刷機構部２０５の印刷解像度への変換や、印刷機構部２０５の用紙の搬送方向に合わせた回転処理などである。
【００２０】
電話回線に接続されたモデム２２３からファクシミリのデータを受け付けるとそれはＣＰＵ２０３で処理され、ドットデータに変換される。生成されたドットデータは出力インターフェース部２０４を介して印刷機構本体部２０５に送られ、実際に印刷される。ここで行なわれる処理とは例えばハフマン圧縮された印字データの伸長などである。
【００２１】
ＣＰＵ２０３によるこれらの一連の処理の処理手順は全てＲＯＭ２０７内にプログラムされており、このプログラムに従ってＣＰＵ２０３は動作する。また、ホスト・コンピュータ２０１やスキャナ２２２、及びモデム２２３からのデータはＲＡＭ２０８上に蓄えられて必要な処理が施される。
【００２２】
２０９は一般のＥＥＰＲＯＭ等で構成する不揮発性メモリであり、以後ＮＶＲＡＭ（Ｎｏｎ  Ｖｏｌａｔｉｌｅ  ＲＡＭ）と称す。ＮＶＲＡＭ２０９には操作パネル２２１で指定されたパネル設定値が記憶される。
【００２３】
２１０はハードディスクであり、ダウンロードされたＩＣＣプロファイルや印字データを格納する為に用いられる。
【００２４】
２１１はネットワークＩＦ部であり、ネットワークとの接続を行う。
【００２５】
ＷｅｂへのアクセスはネットワークＩＦ部２１１を介して行う。
【００２６】
図３は本発明における請求項第１項の各手段の動作を説明するフローチャートであり、印刷時に於ける印刷装置の動作を説明したものである。
【００２７】
デジタルカメラ２３１より機種データを受信する（Ｓ３０１）。
【００２８】
デジタルカメラ２３１よりＷｅｂアドレス（ＵＲＬ）を受信する（Ｓ３０２）。
【００２９】
デジタルカメラ２３１より印字データを受信する（Ｓ３０３）。
【００３０】
ステップ３０２で受信したＷｅｂのアドレスへアクセスを行ない、該Ｗｅｂにステップ３０１で得られた機種データと図１におけるＭＦＰの機種に対応したＩＣＣプロファイルを検索する（Ｓ３０４）。
【００３１】
該ＩＣＣプロファイルが存在すれば（Ｓ３０５）、
該ＩＣＣプロファイルをダウンロードする（Ｓ３０６）。
【００３２】
ＩＣＣプロファイルをダウンロードしているならばそれを用い印刷を行う（Ｓ３０７）。
【００３３】
該ＩＣＣプロファイルが存在しなければ（Ｓ３０５）、
ＩＣＣプロファイルを用いず、または既存のＩＣＣプロファイルを用いて印刷を行う（Ｓ３０７）。
【００３４】
図４は本発明における第２項の各手段の動作を説明するフローチャートであり、印刷時に於ける印刷装置の動作を説明したものである。
【００３５】
デジタルカメラ２３１より機種データを受信する（Ｓ４０１）。
【００３６】
デジタルカメラ２３１よりＷｅｂアドレス（ＵＲＬ）を受信する（Ｓ４０２）。
【００３７】
デジタルカメラ２３１よりパスワードを受信する（Ｓ４０３）。
【００３８】
デジタルカメラ２３１より印字データを受信する（Ｓ４０４）。
【００３９】
ステップ４０２で受信したアドレスのＷｅｂへアクセスを行う（Ｓ４０５）。
【００４０】
該Ｗｅｂに対してパスワードを入力し（Ｓ４０６）、
パスワードが正しくＷｅｂにアクセス可能になったならば（Ｓ４０７）、
該Ｗｅｂにステップ４０１で得られた機種データと図１におけるＭＦＰ１００の機種に対応したＩＣＣプロファイルを検索する。該ＩＣＣプロファイルが存在すれば（Ｓ４０８）、
該ＩＣＣプロファイルをダウンロードする（Ｓ４０９）。
【００４１】
ＩＣＣプロファイルをダウンロードしているならばそれを用い印刷を行う（Ｓ４１０）。
【００４２】
該ＩＣＣプロファイルが存在しなければ（Ｓ４０８）、
ＩＣＣプロファイルを用いず、または既存のＩＣＣプロファイルを用いて印刷を行う（Ｓ４１０）。
【００４３】
パスワードが正しくなくＷｅｂにアクセス出来なかった場合には印字を中止し、終了する（Ｓ４０７）。
【００４４】
図５は本発明における第４項の各手段の動作を説明するフローチャートであり、印刷時に於ける印刷装置の動作を説明したものである。
【００４５】
デジタルカメラ２３１より機種データを受信する（Ｓ５０１）。
【００４６】
デジタルカメラ２３１よりＷｅｂアドレス（ＵＲＬ）を受信する（Ｓ５０２）。
【００４７】
該アドレスが格納しているリストにあるか検索する（Ｓ５０３）。
【００４８】
リストになければ印字処理を中止する（Ｓ５０４）。
【００４９】
リストにあれば（Ｓ５０４）、
デジタルカメラ２３１より印字データを受信する（Ｓ５０５）。
【００５０】
ステップ５０２で受信したＷｅｂのアドレスへアクセスを行う（Ｓ５０６）。
【００５１】
該Ｗｅｂにステップ５０１で得られた機種データと図１におけるＭＦＰの機種に対応したＩＣＣプロファイルを検索し、該ＩＣＣプロファイルが存在すれば（Ｓ５０７）、
該ＩＣＣプロファイルをダウンロードする（Ｓ５０８）。
【００５２】
ＩＣＣプロファイルをダウンロードしているならばそれを用い印刷を行う（Ｓ５０９）。
【００５３】
該ＩＣＣプロファイルが存在しなければ（Ｓ５０７）、
ＩＣＣプロファイルを用いず、または既存のＩＣＣプロファイルを用いて印刷を行う（Ｓ５０９）。
【００５４】
図６は本発明における第５項の各手段の動作を説明するフローチャートであり、印刷時に於ける印刷装置の動作を説明したものである。
【００５５】
デジタルカメラ２３１より機種データを受信する（Ｓ６０１）。
【００５６】
デジタルカメラ２３１よりＷｅｂアドレス（ＵＲＬ）を受信する（Ｓ６０２）。
【００５７】
Ｗｅｂリストを格納しているＷｅｂよりリストをダウンロードする（Ｓ６０３）。
【００５８】
ステップ６０２で受信したＷｅｂアドレスがステップ６０３でダウンロードしたリストにあるか検索し、リストになければ印字処理を中止する（Ｓ６０４）。
【００５９】
リストにあれば（Ｓ６０５）、
デジタルカメラ２３１より印字データを受信する（Ｓ６０６）。
【００６０】
ステップ６０２で受信したＷｅｂのアドレスへアクセスを行う（Ｓ６０７）。
【００６１】
該Ｗｅｂにステップ６０１で得られた機種データと図１におけるＭＦＰの機種に対応したＩＣＣプロファイルを検索し、該ＩＣＣプロファイルが存在すれば（Ｓ６０８）、
該ＩＣＣプロファイルをダウンロードする（Ｓ６０９）。
【００６２】
ＩＣＣプロファイルをダウンロードしているならばそれを用い印刷を行う（Ｓ６１０）。
【００６３】
該ＩＣＣプロファイルが存在しなければ（Ｓ６０９）、
ＩＣＣプロファイルを用いず、または既存のＩＣＣプロファイルを用いて印刷を行う（Ｓ６１０）。
【００６４】
また、本発明は、複数の機器から構成されるシステムに適用しても、１つの機器からなる装置に適用しても構わない。また、本発明はシステムあるいは装置にプログラムを供給することによって実施される場合にも適用できることは言うまでもない。この場合、本発明に係わるプログラムを格納した媒体が、本発明を構成することになる。そして、該記憶媒体からそのプログラムをシステム或は装置に読み出すことによって、そのシステム或は装置が、予め定められた仕方で動作する。
【００６５】
以下、本発明をプリンタ、コピー、ファクシミリの各々の機能を持つ、複合印刷装置（以下、ＭＦＰ−Ｍｕｌｔｉ  Ｆｕｎｃｔｉｏｎ  Ｐｒｏｄｕｃｔ−と略す）適用し、図面を用いて更に詳細に説明する。
【００６６】
本実施例の構成を説明する前に、本実施例を適用するＭＦＰの構成を図１を参照して説明する。
【００６７】
図１は実施例のＭＦＰの内部構造を示す断面図である。
【００６８】
図において１００はＭＦＰ本体であり、ネットワークをとして印字データを受取り印刷するプリンタとして使用することができる。また、電話回線にも接続されており、ファクシミリとしても機能するほか、単体でもコピー機として使用することができる。
【００６９】
１２１は操作のためのスイッチ及びＭＦＰの状態を表示する液晶タッチパネルで構成される操作パネル、１０１はＭＦＰ１００全体の制御する制御ユニットである。
【００７０】
レーザ・ドライバ１０２は半導体レーザ１０３を駆動するための回路であり、入力されたビデオ信号に応じて半導体レーザ１０３から発射されるレーザビーム１０４をオン・オフ切替する。
【００７１】
レーザビーム１０４は回転多面鏡１０５で左右方向に振られて静電ドラム１０６上を走査することにより、静電ドラム１０６上には静電潜像が形成される。この潜像は静電ドラム１０６周囲の現像ユニット（トナーカートリッジ）１０７によって現像された後、記録用紙に転写される。この記録用紙にはカット・シートを用い、カット・シート記録紙はＭＦＰに装着した給紙カセット１０８、１０９、１１０及び１１１に収納され、給紙ローラ１１３、１１４、１１５及び１１６により装置内に取り込まれ、用紙搬送ローラ１１２によって用紙搬送ベルト１１７に乗せられて像形成・現像機構を通過する。
【００７２】
記録用紙に転写されたトナー（粉末インク）は定着器１１８で熱と圧力により記録用紙に固定され、記録用紙は搬送ローラ１１９と１１０によってＭＦＰ本体外に出力される。
【００７３】
１１２はスキャナであり、原稿をセットして操作パネル１２１からコピーを指示すると原稿は原稿台に取り込まれてハロゲンランプ（不図示）で露光され、その反射像が撮像される。撮像された像はＡ／Ｄ変換されて制御ユニット１０１に送られ、必要な処理を施されてビデオ信号となり、レーザ・ドライバ１０２に入力される。
【００７４】
また、外部ネットワークを通して印刷データが送信されてくると、印字データは制御ユニット１０１内で解析されてビデオ信号となり、レーザ・ドライバ１０２に入力される。
【００７５】
また、電話回線からファクシミリのデータが送信されてくると、それはモデム１２３を経由して制御ユニット２０１に取り込まれ、ビデオ信号に変換されてレーザ・ドライバ１０２に入力される。
【００７６】
図２は図１に示したＭＦＰの制御ユニット１０５の概略構成を示すブロック図である。
２０１はコントローラボードの本体を示す。
【００７７】
２３１はデジタルカメラであり撮影した画像をＪＰＥＧ画像で印字データとして転送してくる。印字データは入力インターフェース部２０２を介して取り込まれる。また、本実施例においては自機の機種番号及び、ＩＣＣプロファイルを格納しているＷｅｂのアドレス、及び該Ｗｅｂにアクセスする為のパスワードは受信データに添付される。
【００７８】
操作パネル１２１からコピーの実行が指示されるとスキャナ２２２で読み取られたイメージはスキャナインタフェース部２０６を介して取り込まれ、ＣＰＵ２０３で必要な処理を施されてドットデータに変換される。生成されたドットデータは出力インターフェース部２０４を介して印刷機構本体部２０５に送られ、実際に印刷される。ここで施される処理とは、例えばスキャナ２２２の読み取り解像度から印刷機構部２０５の印刷解像度への変換や、印刷機構部２０５の用紙の搬送方向に合わせた回転処理などである。
【００７９】
電話回線に接続されたモデム２２３からファクシミリのデータを受け付けるとそれはＣＰＵ２０３で処理され、ドットデータに変換される。生成されたドットデータは出力インターフェース部２０４を介して印刷機構本体部２０５に送られ、実際に印刷される。ここで行なわれる処理とは例えばハフマン圧縮された印字データの伸長などである。
【００８０】
ＣＰＵ２０３によるこれらの一連の処理の処理手順は全てＲＯＭ２０７内にプログラムされており、このプログラムに従ってＣＰＵ２０３は動作する。また、ホスト・コンピュータ２０１やスキャナ２２２、及びモデム２２３からのデータはＲＡＭ２０８上に蓄えられて必要な処理が施される。
【００８１】
２０９は一般のＥＥＰＲＯＭ等で構成する不揮発性メモリであり、以後ＮＶＲＡＭ（Ｎｏｎ  Ｖｏｌａｔｉｌｅ  ＲＡＭ）と称す。ＮＶＲＡＭ２０９には操作パネル２２１で指定されたパネル設定値が記憶される。
【００８２】
２１０はハードディスクであり、ダウンロードされたＩＣＣプロファイルやや印字データを格納する為に用いられる。
【００８３】
２１１はネットワークＩＦ部であり、ネットワークとの接続を行う。
【００８４】
ＷｅｂへのアクセスはネットワークＩＦ部を介して行う。
【００８５】
図７は本発明における請求項第１項の各手段の動作を説明するフローチャートであり、印刷時に於ける印刷装置の動作を説明したものである。
【００８６】
デジタルカメラ２３１より印字データを受信する（Ｓ７０１）。
【００８７】
機種データを該印字データより検索する（Ｓ７０２）。
【００８８】
Ｗｅｂアドレス（ＵＲＬ）を該印字データより検索する（Ｓ７０３）。
【００８９】
ステップ７０３で受信したＷｅｂのアドレスへアクセスを行ない、該Ｗｅｂにステップ７０２で得られた機種データと図１におけるＭＦＰの機種に対応したＩＣＣプロファイルを検索する（Ｓ７０４）。
【００９０】
該ＩＣＣプロファイルが存在すれば（Ｓ７０５）、
該ＩＣＣプロファイルをダウンロードする（Ｓ７０６）。
【００９１】
ＩＣＣプロファイルをダウンロードしているならばそれを用い印刷を行う（Ｓ７０７）。
【００９２】
該ＩＣＣプロファイルが存在しなければ（Ｓ７０５）、
ＩＣＣプロファイルを用いず、または既存のＩＣＣプロファイルを用いて印刷を行う（Ｓ７０７）。
【００９３】
図８は本発明における第２項の各手段の動作を説明するフローチャートであり、印刷時に於ける印刷装置の動作を説明したものである。
【００９４】
デジタルカメラ２３１より印字データを受信する（Ｓ８０１）。
【００９５】
機種データを該印字データより検索する（Ｓ８０２）。
【００９６】
Ｗｅｂアドレス（ＵＲＬ）を該印字データより検索する（Ｓ８０３）。
【００９７】
パスワードを該印字データより検索する（Ｓ８０４）。
【００９８】
ステップ８０３で受信したアドレスのＷｅｂへアクセスを行う（Ｓ８０５）。
【００９９】
該Ｗｅｂに対してステップ８０４で得られたパスワードを入力し（Ｓ８０６）、
パスワードが正しくＷｅｂにアクセス可能になったならば（Ｓ８０７）、
該Ｗｅｂにステップ８０２で得られた機種データと図１におけるＭＦＰ１００の機種に対応したＩＣＣプロファイルを検索する。該ＩＣＣプロファイルが存在すれば（Ｓ８０８）、
該ＩＣＣプロファイルをダウンロードする（Ｓ８０９）。
【０１００】
該ＩＣＣプロファイルを用い印刷を行う（Ｓ８１０）。
【０１０１】
該ＩＣＣプロファイルが存在しなければ（Ｓ８０８）、
ＩＣＣプロファイルを用いず、または既存のＩＣＣプロファイルを用いて印刷を行う（Ｓ８１０）。
【０１０２】
パスワードが正しくなくＷｅｂにアクセス出来なかった場合には、印字を中止し、終了する（Ｓ８０７）。
【０１０３】
図９は本発明における第４項の各手段の動作を説明するフローチャートであり、印刷時に於ける印刷装置の動作を説明したものである。
【０１０４】
デジタルカメラ２３１より印字データを受信する（Ｓ９０１）。
【０１０５】
機種データを該印字データより検索する（Ｓ９０２）。
【０１０６】
Ｗｅｂアドレス（ＵＲＬ）を該印字データより検索する（Ｓ９０３）。
【０１０７】
該ＵＲＬが格納しているＷｅｂリストにあるか検索する（Ｓ９０４）。
【０１０８】
該リストになければ印字処理を中止する（Ｓ９０５）。
【０１０９】
該リストにあれば（Ｓ９０５）、
ステップ９０３で受信したＷｅｂのアドレスへアクセスを行う（Ｓ９０６）。
【０１１０】
該Ｗｅｂにステップ９０２で得られた機種データと図１におけるＭＦＰの機種に対応したＩＣＣプロファイルを検索し、該ＩＣＣプロファイルが存在すれば（Ｓ９０７）、
該ＩＣＣプロファイルをダウンロードする（Ｓ９０８）。
【０１１１】
該ダウンロードしたＩＣＣプロファイルを用い印刷を行う（Ｓ９０９）。
【０１１２】
該ＩＣＣプロファイルが存在しなければ（Ｓ９０７）、
ＩＣＣプロファイルを用いず、または既存のＩＣＣプロファイルを用いて印刷を行う（Ｓ９０９）。
【０１１３】
図１０は本発明における第５項の各手段の動作を説明するフローチャートであり、印刷時に於ける印刷装置の動作を説明したものである。
【０１１４】
デジタルカメラ２３１より印字データを受信する（Ｓ１００１）。
【０１１５】
機種データを該印字データより検索する（Ｓ１００２）。
【０１１６】
Ｗｅｂアドレス（ＵＲＬ）を該印字データより検索する（Ｓ１００３）。
【０１１７】
ＷｅｂリストをＷｅｂリストを格納しているＷｅｂよりダウンロードする（Ｓ１００４）。
【０１１８】
ステップ１００２で検索し、得たＵＲＬがダウンロードしたリストにあるか検索し、Ｗｅｂリストになければ印字処理を中止する（Ｓ１００５）。
【０１１９】
該Ｗｅｂリストに指定されたＵＲＬが無ければ（Ｓ１００６）、
ＩＣＣプロファイルを用いず、または既存のＩＣＣプロファイルを用いて印刷を行う（Ｓ１０１０）。
【０１２０】
該Ｗｅｂリストに該Ｗｅｂリストに指定されたＵＲＬがあれば（Ｓ１００６）、
ステップ１００２で受信したＷｅｂのアドレスへアクセスを行う（Ｓ１００７）。
【０１２１】
該Ｗｅｂにステップ１００１で得られた機種データと図１におけるＭＦＰの機種に対応したＩＣＣプロファイルを検索し、該ＩＣＣプロファイルが存在すれば（Ｓ１００８）、
該ＩＣＣプロファイルをダウンロードする（Ｓ１００９）。
【０１２２】
ＩＣＣプロファイルをダウンロードしているならばそれを用い印刷を行う（Ｓ１０１０）。
【０１２３】
該ＩＣＣプロファイルが存在しなければ（Ｓ１００９）、
ＩＣＣプロファイルを用いず、または既存のＩＣＣプロファイルを用いて印刷を行う（Ｓ１０１０）。
【０１２４】
また、本発明は、複数の機器から構成されるシステムに適用しても、１つの機器からなる装置に適用しても構わない。また、本発明はシステムあるいは装置にプログラムを供給することによって実施される場合にも適用できることは言うまでもない。この場合、本発明に係わるプログラムを格納した媒体が、本発明を構成することになる。そして、該記憶媒体からそのプログラムをシステム或は装置に読み出すことによって、そのシステム或は装置が、予め定められた仕方で動作する。
【図面の簡単な説明】
【０１２５】
【図１】本発明の一実施例である印刷装置であるＭＦＰの断面図である。
【図２】本実施例１及び実施例２の印刷装置の基本構成を示すブロック図である。
【図３】実施例１における請求項第１項の各手段の動作を表すフローチャートである。
【図４】実施例１における請求項第２項の各手段の動作を表すフローチャートである。
【図５】実施例１における請求項第３項の各手段の動作を表すフローチャートである。
【図６】実施例１における請求項第４項の各手段の動作を表すフローチャートである。
【図７】実施例２における請求項第１項の各手段の動作を表すフローチャートである。
【図８】実施例２における請求項第２項の各手段の動作を表すフローチャートである。
【図９】実施例２における請求項第３項の各手段の動作を表すフローチャートである。
【図１０】実施例２における請求項第４項の各手段の動作を表すフローチャートである。
【符号の説明】
【０１２６】
１００  印刷装置本体
１０１  制御ユニット
１０２  レーザ・ドライバ
１０３  半導体レーザ発射装置
１０４  レーザ・ビーム
１０５  回転多面鏡
１０６  静電ドラム
１０７  トナーカートリッジ
１０８  給紙トレイ１
１０９  給紙トレイ２
１１０  給紙トレイ３
１１１  給紙トレイ４
１１２  用紙搬送ローラ
１１３  給紙ローラ
１１７  用紙搬送ベルト
１１８  定着器
１２１  操作パネル
１２２  スキャナ
１２３  モデム
２０１  コントローラボード
２０２  ホスト・コンピュータとの入力インターフェース部
２０３  ＣＰＵ
２０４  印刷機構部への出力インターフェース部
２０５  印刷機構部
２０６  スキャナインタフェース部
２０７  ＲＯＭ
２０８  ＲＡＭ
２０９  ＮＶＲＡＭ
２１０  ＨＤ（ハードディスク）
２１１  ネットワークＩＦ部
２２２  スキャナ
２２３  モデム
２３１  デジタルカメラ
【図１】
2005123668.tif 000003
【図２】
2005123668.tif 000004
【図３】
2005123668.tif 000005
【図４】
2005123668.tif 000006
【図５】
2005123668.tif 000007
【図６】
2005123668.tif 000008
【図７】
2005123668.tif 000009
【図８】
2005123668.tif 000010
【図９】
2005123668.tif 000011
【図１０】
2005123668.tif 000012